(57)【要約】【課題】ポリ袋の装着が容易で、且つ、場所を取らないゴミ袋ホルダーを提供する。【解決手段】Ｉ形アーム１と、その垂直ロット２ｂが弾性部材４により締結されて前記Ｉ形アーム１に接離自在に圧接されたＴ形アーム２と、これらＩ形アーム１とＴ形アーム２を壁面に一括保持する吸盤３とで構成され、前記接離自在の圧接部がゴミ袋の開口端縁部を挟持するクリップを形成している。本構成では、袋体の開口端縁部をホルダーの圧接部分に挟み込むだけで良いから、袋体の掛着は極めて容易に行える。【選択図】　　　図１
2004075286.tif 000002
【特許請求の範囲】
【請求項１】
Ｉ形アームと、その垂直ロッドが弾性部材により締結されて前記Ｉ形アームに接離自在に圧接されたＴ形アームと、これらＩ形アームとＴ形アームを壁面に一括保持する取付手段とで構成され、前記接離自在の圧接部がゴミ袋の開口端縁部を挟持するクリップを形成することを特徴とするゴミ袋ホルダー。
【請求項２】
前記取付手段と前記弾性部材を一体形成したことを特徴とする請求項１に記載のゴミ袋ホルダー。
【請求項３】
前記Ｔ形アームの左右水平ロッドを反取付手段側にヘの字状に傾斜させたことを特徴とする請求項１または請求項２の何れかに記載のゴミ袋ホルダー。
【請求項４】
前記取付手段として吸盤を用いることを特徴とする請求項１から請求項３までの何れかに記載のゴミ袋ホルダー。
【発明の詳細な説明】
【０００１】
【発明の属する技術分野】
本発明は、ポリエチレン製のような薄くて軽い袋体（ポリ袋）を壁面等に保持するのに好適なゴミ袋ホルダーに関するものである。
【０００２】
【従来の技術】
前記ポリ袋は、筒状・箱状等のゴミ箱内に敷いて内袋として使用する場合が一般的であるが、室内の壁面や流し台の扉等に吊着して一時的なゴミ容器としたり、最近では、台所のシンク内の三角コーナーやシンク内壁に付けて生ゴミの水切り袋としても使用されている。
【０００３】
【発明が解決しようとする課題】
ところで、ポリ袋を上記のように壁面や流し台、或いはシンク内壁等に吊着する場合、スーパーマーケット等のポリ袋はフックを用いてその持ち手を引っ掛ければ良いが、ポリ袋の口を開かせるためにフック２個を必要とし、いささか不経済であった。
また、持ち手の無いポリ袋には、例えば、リング状等の取付用枠体を備えた袋ホルダーも提案されているが、袋体の取付機構が複雑となるため袋の装着が面倒であり、且つ、使用していない時、この枠体自体が場所を取るため、台所仕事等の時に邪魔になるといった欠点が有った。
【０００４】
本発明は、上記した問題点を解消し、ポリ袋の装着が容易で、且つ、壁面に取り付けて邪魔にならないゴミ袋ホルダーを提供することを目的としている。
【０００５】
【課題を解決するための手段】
すなわち、請求項１に記載の本発明は、Ｉ形アームと、その垂直ロットが弾性部材により締結されて前記Ｉ形アームに接離自在に圧接されたＴ形アームと、これらＩ形アームとＴ形アームを壁面に一括保持する取付手段とで構成され、前記接離自在の圧接部がゴミ袋の開口端縁部を挟持するクリップを形成している。
本構成では、ゴミ袋の開口部を外側に折り返し、この折り返し部分を上記クリップに挟み込めば左右のアームが袋体を支持するので、ゴミ袋のホルダーへの掛着は容易である。また、形状がＴ形であるから使用しない時は場所を取らず、邪魔にならない。
【０００６】
また、請求項２に記載の本発明は、請求項１に記載のゴミ袋ホルダーにおいて、前記取付手段と前記弾性部材を一体形成した。
本構成により、ゴミ袋ホルダーの構造を極めてシンプルにできる。
【０００７】
また、請求項３に記載の本発明は、請求項１または請求項２の何れかに記載のゴミ袋ホルダーにおいて、前記Ｔ形アームの左右水平ロットを反取付手段側にヘの字状に傾斜させた。
本構成では、アームの傾斜が袋体の開口部を開き方向に形作るため、ゴミ袋の口を開いた状態で壁面に吊着し易くなる。
【０００８】
また、請求項４に記載の発明は、請求項１から請求項３までの何れかに記載のゴミ袋ホルダーにおいて、前記取付手段として吸盤を用いた。
吸盤を用いれば、タイル、ガラス、ステンレス、プラスチック化粧合板等の様々な壁材に取付跡を残さずゴミ袋を簡単に取り付け、取り外しすることができるようになる。
【０００９】
【発明の実施の形態】
以下、図１および図２に基づいて本発明の一実施形態を説明する。図１は本発明に係るゴミ袋ホルダーの斜視図、図２はその使用態様を示す側断面図である。
【００１０】
図１に示すように、本実施形態のゴミ袋ホルダー１０は、外径が２Φ程度のステンレス鋼線で成るＩ形アーム１と、左右の水平ロッド２ａ、２ａと垂直ロッド２ｂで構成される同、ステンレス鋼線より成るＴ形アーム２と、塩化ビニル樹脂製の吸盤３との組み合わせで構成されている。
【００１１】
吸盤３の裏面側には取付用の膨出部４が一体成形されており、その通孔４に前記Ｉ形アーム１とＴ形アーム２の垂直ロッド２ｂとが合わせてきつく差し込まれて、全体形状がＴ字形のゴミ袋ホルダー１０を構成している。Ｉ形アーム１とＴ形アーム２の垂直ロット２ｂは、このリング状の膨出部４にて締結されて相互に圧接した状態であるが、吸盤３の材質が塩化ビニル樹脂といった弾性部材であるから、その弾性のため両者は接離自在の状態であり、よって、この圧接部分の隙間がゴミ袋の開口端部を挟持するクリップとして機能する。
【００１２】
このＩ形アーム１と垂直ロット２ｂの圧接部分のＩ形アーム側には、ゴミ袋の荷重で生じる滑りを防止するためのビニルチューブ５が被覆されており、且つ、下方部は吸盤側に屈曲している。また、Ｔ形アーム２の左右水平ロット２ａ、２ａが幾分反吸盤側に傾斜して平面視への字状に形成されている。このＴ形アーム２は１本の鋼線を単にＴ字に折り曲げしただけの極めてシンプルなアーム構造である。尚、このＴ字形のゴミ袋ホルダー１０の各ロッド端部３カ所に球状物６が嵌め込まれて、使用時、エッジによる手先の怪我や、引っ掛けによる袋体の破損等を防止している。
【００１３】
上記構成のゴミ袋ホルダー１０を用いてポリ製のゴミ袋１１を台所のシンク１２の内壁に吊着するには、図２に示すように、先ず、ゴミ袋１１の開口端部を予め所定の幅で外側に折り返しておく。次に、ゴミ袋ホルダー１０をシンク内壁の適所に吸盤３にて取り付け、ゴミ袋１１の折り返し部分１１ａをＩ形アーム１とＴ形アーム２の垂直ロット２ｂの隙間、即ち、クリップ部に挟み込めば、弾性部材の弾性でゴミ袋１１はしっかりと挟持され、同時に、Ｔ形アーム２の左右のロッド２ａ、２ａが折り返し部分１１ａの間に介在されて袋体の開口縁部を支持する。この左右のロッド２ａ、２ａが開口部に沿うようにヘの字状に傾斜して袋体をアームの長さに亘って開き方向に形作るため、ゴミ袋１１を開いた状態でシンク１２の内壁に吊着することができる。従って、生ゴミの収容も容易に行える。
【００１４】
また、ゴミ袋１１に生ゴミを収容して加重されても、Ｉ形アーム先端部の球状物６が吸盤３の下方でシンク１２の内壁に当接してストッパーとなるから、ゴミ袋ホルダー１０が荷重に負けて垂れ下がることはない。加えて、Ｉ形アーム１に被覆したビニルチューブ５の摩擦抵抗により、荷重によるゴミ袋１１の滑りやホルダーからの脱落が防止される。
【００１５】
このように、本発明のゴミ袋ホルダー１０は、吸盤３の通孔４ａにＩ形アーム１とＴ形アーム２の垂直ロッド２ａを差し込むだけの極めてシンプルな構造であるから安価にでき、且つ、袋体の開口端縁部をホルダーのクリップ部に挟み込むだけで良いからゴミ袋の掛着も極めて容易である（勿論、持ち手のないポリ袋でも極めて容易に掛着できる）。
しかも、ゴミ袋ホルダー１０はＴ字形であるから、使用しない時壁面に吸着しておいても場所を取らず、台所仕事などの際に邪魔になることはない。
【００１６】
以上、本実施形態では、ゴミ袋をシンク内壁に吊着する場合を示したが、本発明のゴミ袋ホルダー１０はこれに限定されるものではなく、室内の壁面や流し台の扉等にも取付可能であることは勿論である。
また、壁面への取付手段として取付が容易な吸盤３を用いたが、その他、吸着シート、粘着テープ、マグネット等による取付も勿論可能である。
【００１７】
【発明の効果】
以上説明したように、本発明のゴミ袋ホルダーは、吸盤の通孔にＩ形アームとＴ形アームを組み合わせて差し込むだけであるから構造は極めてシンプルであり、安価である。
また、袋体の開口端縁部をホルダーの圧接部分に挟み込むだけで良いから、ゴミ袋の掛着は極めて容易に行える。
しかも、ホルダーの形状がＴ字形で場所を取らないから、ゴミ袋を吊着していない時は邪魔にならない。
【図面の簡単な説明】
【図１】本発明に係るゴミ袋ホルダーの斜視図。
【図２】同、ゴミ袋ホルダーの使用態様を示す側断面図。
【符号の説明】
１　Ｉ形アーム
２　Ｔ形アーム
２ａ　水平ロッド
２ｂ　垂直ロッド
３　取付手段（吸盤）
４　弾性部材（膨出部）
１０　ゴミ袋ホルダー
１１　ゴミ袋
１１ａ　開口端縁部
【図１】
2004075286.tif 000003
【図２】
2004075286.tif 000004